【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  前方部、後方部及び中間股部を含む吸収性物品の前方及び後方部の側方部分を、物品にパンツ状形状を与えるように、結合することを意図したファスナータブ（３１）の製造のための基本的出発材料を製造する方法において、次の段階：
−  弾性材料の第一シート（１）を第一方向（Ｔ）に伸張する；
−  第一シートのそれぞれの対向側に材料の第二及び第三シート（９，１０）を付与する；
−  前記第一方向に垂直な一方向（Ｍ）に互いに平行に延びる少なくとも二つの相互に分離された帯域（１４，１５）内で三つの材料シートを一緒に固定する；
−  二つの帯域（１４，１５）間の各領域内の第一シート（１）を、伸張されたシート（１）の弾性力がシートを弱体化線に沿って離れる方向に引っ張ることを可能とする熱または超音波エネルギーの助けにより前記帯域間に位置する弱体化線に沿って第一シートを弱体化することにより、分割し、それにより二つの帯域（１４，１５）間の各領域（１６）内の第一シートが非伸張状態に収縮する；及びその後で
−  二つの帯域（１４，１５）間の各領域（１６）内の三つのシートを一緒に固定する；
を特徴とする方法。
【請求項２】  材料シート（１，９，１０）を、第二及び第三シート（９，１０）が前記第一シート（１）に前記シートを伸張状態でかつ前記帯域内で伸張された第一シート（１）に固定されている、二つの帯域（１４，１５）間の各領域（１６）内で互いに固定することを特徴とする請求項１に記載の方法。
【請求項３】  前記シート（１，９，１０）を、第二及び第三シート（９，１０）が第一シート（１）に前記シートを伸張状態で固定されている、二つの帯域（１４，１５）間の各領域（１６）内で一緒に固定するに先立ち第一シート（１）を非伸張または弛緩状態に収縮させることを特徴とする請求項１に記載の方法。
【請求項４】  第一、第二及び第三シート（１，９，１０）を、第二及び第三シート（９，１０）が第一シート（１）に前記シートを伸張状態で結合されている帯域（１４，１５）内で第一シートを非伸張状態に収縮させた後に第二及び第三シート（９，１０）が第一シート（１）に前記シートを伸張状態で結合されている最も近い帯域（１４，１５）の外方で前記第一方向（Ｔ）に延びかつ前記第二方向（Ｍ）に延びる、二つの縁領域（１７，１８）内で一緒に結合することを特徴とする請求項２または３に記載の方法。
【請求項５】  第一シート（１）を、第二及び第三シート（９，１０）が第一シート（１）に前記シートを伸張状態で結合されている二つの帯域（１４，１５）間の各領域内で、第一シート内に作られた穿孔の線を通して分割すること、そこでは前記穿孔間の距離は材料の伸張された第一シート内の収縮力が二つの相互に続いた穿孔間の領域内の前記第一シートを離れる方向に引っ張ることを可能とするほど小さいことを特徴とする請求項２または３に記載の方法。
【請求項６】  前方部、後方部及び中間股部を含む吸収性物品の前方及び後方部の側方部分を、物品にパンツ状形状を与えるように、固定することを意図したファスナータブ（３１）の製造のための基本的出発材料を連続的に製造するための集成装置において、この集成装置が弾性材料から構成された第一ウェブを供給方向（Ｍ）にこの集成装置を通して進めるための手段；この第一ウェブ（１）を前記供給方向に関して横断方向（Ｔ）に伸張するための手段（３−８）；この伸張された第一ウェブのそれぞれの側に材料の第二及び第三ウェブ（９，１０）を付与するための手段；この組み合わされたウェブ（１，９，１０）を前記供給方向に互いに平行に延びる少なくとも二つの相互に分離した帯域（１４，１５）内で一緒に固定するための手段（１１）；三つのウェブ（１，９，１０）が前記第一ウェブを伸張した状態で一緒に固定されている二つの帯域（１４，１５）間の各領域（１６）内の第一ウェブを前記帯域（１４，１５）間に位置する線に沿って分割し、それにより二つの帯域（１４，１５）間の各領域（１６）内の第一ウェブが非伸張状態に収縮するための手段（１９）；及び三つのウェブ（１，９，１０）が第一ウェブを伸張された状態で一緒に固定されている二つの帯域（１４，１５）間の各領域（１６）内の第一ウェブの前記分割に続いてそれらのウェブを一緒に固定するための手段（２２）；を含むことを特徴とする集成装置。
【請求項７】  伸張された第一ウェブを非伸張状態にもたらすための手段（３−８）；及び三つのウェブ（１，９，１０）が第一ウェブを伸張された状態で一緒に固定されている横断的に最外方の帯域（１４，１５）の外方で供給方向（Ｍ）に延びる縁領域（１７，１８）内でそれらのウェブ（１，９，１０）を一緒に固定するための前記手段（３−８）の供給方向（Ｍ）の下流の手段（２５）；を特徴とする請求項６に記載の集成装置。
【請求項８】  伸張された第一ウェブを非伸張状態にもたらすための手段であって、前記手段が三つのウェブが第一ウェブを伸張された状態で一緒に固定されている二つの帯域間の各領域内の第一ウェブを分割するための手段の供給方向の直ぐ下流に設けられていることを特徴とする請求項６または７に記載の集成装置。
【請求項９】  前記ウェブを一緒に固定するための手段（１１，２２，２５）が超音波溶接または熱溶接装置から構成されることを特徴とする請求項７に記載の集成装置。
【請求項１０】  前記ウェブを相互に分離した帯域（１４，１５）内で一緒に固定するための前記手段がのり付け装置から構成されることを特徴とする請求項７に記載の集成装置。
【請求項１１】  三つのウェブ（１，９，１０）が第一ウェブを伸張された状態で一緒に固定されている二つの相互に分離した帯域（１４，１５）間の各領域（１６）内の第一ウェブ（１）を前記帯域間に位置する線に沿って分割するための前記手段（１９）が第一ウェブを穿孔する機能をする穿孔装置（２０，２１）を含むことを特徴とする請求項６から１０のいずれか一つに記載の集成装置。
【請求項１２】  三つのウェブ（１，９，１０）が第一ウェブを伸張された状態で一緒に固定されている二つの帯域（１４，１５）間の各領域（１６）内の第一ウェブ（１）を前記帯域間に位置する線に沿って分割するための手段（１９）が超音波装置（２０，２１）を含むことを特徴とする請求項１１に記載の集成装置。
【請求項１３】  前方部、後方部及び中間股部を含む吸収性物品の前方及び後方部の側方部分をその物品にパンツ状形状を与えるように一緒に固定することを意図したファスナータブ（３１）の製造のための出発材料であって、前記出発材料が縦方向（Ｌ）と横方向（Ｔ）を持ちかつ前記材料の縦方向（Ｌ）に延びかつ中間非弾性帯域（１６）により横方向（Ｔ）に相互に分離されている少なくとも二つの弾性帯域（１４，１５）を持つものにおいて、弾性材料（１）が弾性帯域（１４，１５）からわずかに各非弾性帯域（１６）中に延びること；最大伸張状態と弛緩状態の弾性帯域（１４，１５）の横方向伸び間の関係が、中間非弾性帯域の横方向伸びの前記帯域中に延びる弾性材料のそれらの片の横方向伸びの合計に対する比より小さいかまたはそれに等しいことを特徴とする出発材料。
【請求項１４】  弾性帯域（１４，１５）が二つの材料のシート（９，１０）間に伸張された状態で取り付けられそれに直接的または間接的のいずれかで固定された弾性材料のシート（１）を含むこと；及び前記の二つの材料のシート（９，１０）が各弾性帯域（１４，１５）及び非弾性帯域（１６）に渡って延びることを特徴とする請求項１３に記載の出発材料。
【請求項１５】  弾性帯域（１４，１５）内で二つの材料のシート（９，１０）間に前記弾性層（１）が取り付けられているそれらの二つの材料のシートの少なくとも一つが本質的に非伸張性の材料、好ましくは不織布材料から構成されることを特徴とする請求項１４に記載の出発材料。
【請求項１６】  弾性帯域（１４，１５）内で二つの材料のシート（９，１０）間に弾性層（１）が取り付けられているそれらの二つの材料のシートが不織布材料から構成されること；及びこれらの二つのシート（９，１０）が相互に同じ単位面積当たり重量を持つことを特徴とする請求項１５に記載の出発材料。
【請求項１７】  弾性帯域（１４，１５）内で二つの材料のシート（９，１０）間に弾性層（１）が取り付けられているそれらの二つの材料のシートが不織布材料から構成されること；及びこれらの二つのシート（９，１０）が相互に異なる単位面積当たり重量を持つことを特徴とする請求項１５に記載の出発材料。
【請求項１８】  弾性帯域（１４，１５）内で前記二つのシート（９，１０）間に弾性層（１）が取り付けられているそれらの二つのシートの一つが５−５０ｇ／ｍ２の単位面積当たり重量を持ち前記シートの他方が１０−８０ｇ／ｍ２の間の単位面積当たり重量を持つことを特徴とする請求項１６または１７に記載の出発材料。
【請求項１９】  本質的に非伸張性の材料の前記シートまたはそれらのシート（９，１０）の少なくとも一つがスパンボンド不織布材料から構成されることを特徴とする請求項１４から１８のいずれか一つに記載の出発材料。
【請求項２０】  各弾性帯域（１４，１５）が弾性フィルム、弾性発泡体、弾性網材料または少なくとも一つの弾性要素を含むラミネートのシート（１）を含むことを特徴とする請求項１３から１９のいずれか一つに記載の出発材料。
【請求項２１】  前方部、後方部及び中間股部を含む吸収性物品の一側方部分に、前記物品の前方及び後方部の共働する側方部分を一緒に結合し、それにより前記物品にパンツ状形状を与えるように、固定されることを意図したファスナータブ（３１）であって、前記ファスナータブが使用者端と製造者端を持つものにおいて、ファスナータブ（３１）が本質的に非伸張性材料の二つの層（９，１０）に取り付けられそれらの二つの層に伸張状態で固定される弾性材料の層（１）を含むこと；これらの二つの非伸張性材料の層が弾性層を越えて延び使用者端を含む非伸張性端部（３４）を形成すること；この弾性層（１）が弛緩状態でわずかに非伸張性端部（３４）中に延びること；及びファスナー素子（２７′）が前記二つの非伸張性層（９，１０）の一つの上の非伸張性端部（３４）上に取り付けられることを特徴とするファスナータブ。
【請求項２２】  非伸張性層（９，１０）が相互に異なる単位面積当たり重量の不織布材料から構成されること；及びファスナー素子（２７′）が単位面積当たり最低の重量を持つ不織布層の外側に取り付けられることを特徴とする請求項２１に記載のファスナータブ。
【請求項２３】  おむつまたは失禁プロテクターのような吸収性物品において、前記物品が請求項２１または請求項２２に記載のファスナータブを含むことを特徴とする吸収性物品。
【請求項２４】  おむつまたは失禁プロテクターのような吸収性物品において、前記物品が請求項１３から２０のいずれか一つに記載の出発材料から作られたファスナータブを含むことを特徴とする吸収性物品。